(57)【特許請求の範囲】
【請求項１】
第１基板に形成された複数の第１光導波路と、前記第１基板と異なる第２基板に形成された複数の第２光導波路とを接続するための光コネクタであって、
前記第１光導波路と前記第２光導波路との間に配置され、前記第１光導波路の端部から射出された光を前記第２光導波路の端部に集光する及び前記第２光導波路の端部から射出された光を前記第１光導波路の端部に集光する複数の正立等倍光学系のレンズを含むレンズ部と、
前記第１光導波路、前記第２光導波路、及び前記レンズの位置関係を一定に保持する保持部材であって、前記第１光導波路に位置合わせされ、ガイドピンを有する第１保持部材と、前記第２光導波路に位置合わせされ、ガイド孔、前記レンズ部を格納する凹形状の格納部及び前記格納部の周辺に形成された複数の圧入孔を有する第２保持部材と、前記レンズ部の光軸方向における位置調整を行うためのスペーサと、及び前記レンズ部を固定するための押え部材であって、前記レンズ部の外側に対応する領域に複数の圧入ピンが形成された押え部材とを備える保持部材と、を備え、
前記レンズ部は、前記第１保持部材及び前記第２保持部材に挟まれて保持され、前記ガイドピンが前記ガイド孔に挿入されており、
前記格納部には、前記第２保持部材の側から、前記スペーサ及び前記レンズ部が順に格納され、
前記複数の圧入ピンが前記複数の圧入孔に挿入されることで、前記レンズ部及び前記スペーサが前記押え部材により前記第２保持部材に固定されることを特徴とする光コネクタ。
【請求項２】
前記保持部材は、前記第１保持部材と前記レンズ部との間に設けられ、前記レンズ部を前記第２保持部材に付勢するばね部材を含むことを特徴とする請求項１に記載の光コネクタ。
【請求項３】
１つの前記レンズに対応する前記第１光導波路及び前記第２光導波路の数は、それぞれ２つ以上であることを特徴とする請求項１又は２に記載の光コネクタ。
【請求項４】
１つの前記レンズに対応する前記第１光導波路及び前記第２光導波路の数は、それぞれ１つであることを特徴とする請求項１又は２に記載の光コネクタ。
【請求項５】
前記レンズ部は、光軸に対し交差する方向に配列された前記複数のレンズ同士の間に設けられ、前記複数のレンズのうち一のレンズに入射した光が、他のレンズに入射しないようにするための迷光防止部材を含むことを特徴とする請求項１〜４のいずれか１項に記載の光コネクタ。
【請求項６】
前記複数のレンズの表面は、前記迷光防止部材の端部より内側に位置することを特徴とする請求項５に記載の光コネクタ。
【請求項７】
前記レンズ部は、
光軸に対し交差する方向に配列された前記複数のレンズの集合体を、前記光軸の方向に２つに分離した第１レンズ及び第２レンズと、
前記第１レンズ及び前記第２レンズの間に設けられ、前記光軸を中心とする領域に絞り孔が形成された絞り部材と、
を含むことを特徴とする請求項１〜４のいずれか１項に記載の光コネクタ。
【請求項８】
複数の第１光導波路が形成された第１基板と、
前記第１基板と交差する平面上に配置され、複数の第２光導波路が形成された第２基板と、
前記複数の第１光導波路と前記複数の第２光導波路とを接続するための光コネクタと、を備え、
前記光コネクタは、
前記第１光導波路と前記第２光導波路との間に配置され、前記第１光導波路の端部から射出された光を前記第２光導波路の端部に集光する及び前記第２光導波路の端部から射出された光を前記第１光導波路の端部に集光する複数の正立等倍光学系のレンズを含むレンズ部と、
前記第１光導波路、前記第２光導波路、及び前記レンズの位置関係を一定に保持する保持部材であって、前記第１光導波路に位置合わせされ、ガイドピンを有する第１保持部材と、前記第２光導波路に位置合わせされ、ガイド孔、前記レンズ部を格納する凹形状の格納部及び前記格納部の周辺に形成された複数の圧入孔を有する第２保持部材と、前記レンズ部の光軸方向における位置調整を行うためのスペーサと、及び前記レンズ部を固定するための押え部材であって、前記レンズ部の外側に対応する領域に複数の圧入ピンが形成された押え部材とを備える保持部材と、を備え、
前記レンズ部は、前記第１保持部材及び前記第２保持部材に挟まれて保持され、前記ガイドピンが前記ガイド孔に挿入されており、
前記格納部には、前記第２保持部材の側から、前記スペーサ及び前記レンズ部が順に格納され、
前記複数の圧入ピンが前記複数の圧入孔に挿入されることで、前記レンズ部及び前記スペーサが前記押え部材により前記第２保持部材に固定されることを特徴とする信号処理装置。
【発明の詳細な説明】
【技術分野】
【０００１】
本発明は、光コネクタ及び当該光コネクタを備えた信号処理装置に関する。
【背景技術】
【０００２】
電子部品が搭載された回路基板（システムボード）を含むユニット装置が、ラックキャビネット内に多数積層して格納されたラックマウント型サーバーが知られている。システムボード上の電子部品は、システムボードに対し垂直に設置された回路基板（バックプレーン）を介して、他のシステムボード上の電子部品との間で信号伝送を行うことができるように構成されている。
【０００３】
従来、システムボード同士の信号伝送には、金属配線や電気ケーブル等により伝送される電気信号を用いることが一般的であった。しかし、高速且つ大容量（例えば、ＧＨｚオーダー）の信号伝送を行う場合、電気信号を用いる方式では、ノイズ等により高品質の信号伝送が困難となる場合がある。そこで、システムボード及びバックプレーンに光導波路を形成し、光信号を用いて信号伝送を行う光伝送方式が提案されている。ここで、システムボードの光導波路とバックプレーンの光導波路とは、光コネクタにより接続される。光コネクタはレンズを含んでおり、例えばバックプレーンの光導波路から射出された光は、光コネクタ内のレンズにより集光されて、システムボードの光導波路に導入される（逆の場合も同様である）。
【先行技術文献】
【特許文献】
【０００４】
【特許文献１】特開２００３−６６２８１号公報
【発明の概要】
【発明が解決しようとする課題】
【０００５】
従来の光コネクタでは、システムボード内の光導波路とバックプレーン内の光導波路とを接続する光学系に、一般的な倒立光学系のレンズを用いていた。このため、光導波路とレンズの位置関係がずれてしまうと、レンズの集光位置が大きくずれてしまい、光導波路とレンズの位置合わせを行うことが難しいという課題があった。
【０００６】
本発明は、上記課題に鑑みなされたものであり、異なる２つの基板における光導波路同士を接続するための光コネクタにおいて、光学系の位置合わせを容易に行うことのできる光コネクタ、及び当該光コネクタを備えた信号処理装置を提供することを目的とする。
【課題を解決するための手段】
【０００７】
本発明は、第１基板に形成された複数の第１光導波路と、前記第１基板と異なる第２基板に形成された複数の第２光導波路とを接続するための光コネクタであって、前記第１光導波路と前記第２光導波路との間に配置され、前記第１光導波路の端部から射出された光を前記第２光導波路の端部に集光する及び前記第２光導波路の端部から射出された光を前記第１光導波路の端部に集光する複数の正立等倍光学系のレンズを含むレンズ部と、前記第１光導波路、前記第２光導波路、及び前記レンズの位置関係を一定に保持する保持部材であって、前記第１光導波路に位置合わせされ、ガイドピンを有する第１保持部材と、前記第２光導波路に位置合わせされ、ガイド孔、前記レンズ部を格納する凹形状の格納部及び前記格納部の周辺に形成された複数の圧入孔を有する第２保持部材と、前記レンズ部の光軸方向における位置調整を行うためのスペーサと、及び前記レンズ部を固定するための押え部材であって、前記レンズ部の外側に対応する領域に複数の圧入ピンが形成された押え部材とを備える保持部材と、を備え、前記レンズ部は、前記第１保持部材及び前記第２保持部材に挟まれて保持され、前記ガイドピンが前記ガイド孔に挿入されており、前記格納部には、前記第２保持部材の側から、前記スペーサ及び前記レンズ部が順に格納され、前記複数の圧入ピンが前記複数の圧入孔に挿入されることで、前記レンズ部及び前記スペーサが前記押え部材により前記第２保持部材に固定されることを特徴とする光コネクタである。
上記構成において、前記保持部材は、前記第１保持部材と前記レンズ部との間に設けられ、前記レンズ部を前記第２保持部材に付勢するばね部材を含む構成とすることができる。
【０００８】
上記構成において、１つの前記レンズに対応する前記第１光導波路及び前記第２光導波路の数は、それぞれ２つ以上である構成とすることができる。
【０００９】
上記構成において、１つの前記レンズに対応する前記第１光導波路及び前記第２光導波路の数は、それぞれ１つである構成とすることができる。
【００１０】
上記構成において、前記レンズ部は、光軸に対し交差する方向に配列された前記複数のレンズ同士の間に設けられ、前記複数のレンズのうち一のレンズに入射した光が、他のレンズに入射しないようにするための迷光防止部材を含む構成とすることができる。
【００１１】
上記構成において、前記複数のレンズの表面は、前記迷光防止部材の端部より内側に位置する構成とすることができる。
【００１４】
上記構成において、前記レンズ部は、光軸に対し交差する方向に配列された前記複数のレンズの集合体を、前記光軸の方向に２つに分離した第１レンズ及び第２レンズと、前記第１レンズ及び前記第２レンズの間に設けられ、前記光軸を中心とする領域に絞り孔が形成された絞り部材と、を含む構成とすることができる。
【００１９】
本発明は、複数の第１光導波路が形成された第１基板と、前記第１基板と交差する平面上に配置され、複数の第２光導波路が形成された第２基板と、前記複数の第１光導波路と前記複数の第２光導波路とを接続するための光コネクタと、を備え、前記光コネクタは、前記第１光導波路と前記第２光導波路との間に配置され、前記第１光導波路の端部から射出された光を前記第２光導波路の端部に集光する及び前記第２光導波路の端部から射出された光を前記第１光導波路の端部に集光する複数の正立等倍光学系のレンズを含むレンズ部と、前記第１光導波路、前記第２光導波路、及び前記レンズの位置関係を一定に保持する保持部材であって、前記第１光導波路に位置合わせされ、ガイドピンを有する第１保持部材と、前記第２光導波路に位置合わせされ、ガイド孔、前記レンズ部を格納する凹形状の格納部及び前記格納部の周辺に形成された複数の圧入孔を有する第２保持部材と、前記レンズ部の光軸方向における位置調整を行うためのスペーサと、及び前記レンズ部を固定するための押え部材であって、前記レンズ部の外側に対応する領域に複数の圧入ピンが形成された押え部材とを備える保持部材と、を備え、前記レンズ部は、前記第１保持部材及び前記第２保持部材に挟まれて保持され、前記ガイドピンが前記ガイド孔に挿入されており、前記格納部には、前記第２保持部材の側から、前記スペーサ及び前記レンズ部が順に格納され、前記複数の圧入ピンが前記複数の圧入孔に挿入されることで、前記レンズ部及び前記スペーサが前記押え部材により前記第２保持部材に固定されることを特徴とする信号処理装置である。
【発明の効果】
【００２０】
本発明によれば、異なる２つの基板における光導波路同士を接続するための光コネクタにおいて、光学系の位置合わせを容易に行うことができる。
【図面の簡単な説明】
【００２１】
【図１】図１は、比較例及び実施例１〜２に係る光コネクタを含む信号処理装置の全体図である。
【図２】図２は、比較例に係る光コネクタ周辺の断面図である。
【図３】図３は、実施例１に係る光コネクタ周辺の断面図である。
【図４】図４は、光コネクタ周辺の斜視図である。
【図５】図５は、光コネクタの詳細な構成を示す斜視図である。
【図６】図６は、光コネクタの内部構造を示す断面図である。
【図７】図７は、レンズアレイ部分の詳細な構成を示す断面図である。
【図８】図８は、光コネクタの平面図である。
【図９】図９は、位置合わせのためのマークを示す図である。
【図１０】図１０は、実施例２に係る光コネクタのレンズアレイ部分の構成を示す断面図である。
【図１１】図１１は、実施例３に係る光コネクタ周辺の斜視図である。
【図１２】図１２は、光コネクタ周辺の断面図である。
【発明を実施するための形態】
【００２２】
最初に、比較例に係る光コネクタについて説明する。
【００２３】
図１は、比較例及び実施例１〜３に係る光コネクタを含む信号処理装置の全体図であり、ラックキャビネットの内部を透過して見た図である。信号処理装置１００は、ラックキャビネット１０内に複数のシステムボード２０ａ〜２０ｃが複数積層して格納されたラックマウント型サーバーである。システムボード２０ａ〜２０ｃは、それぞれラックキャビネット１０の底面に対し平行に配置されており、同底面に対し垂直に配置されたバックプレーン３０を介して、互いに電気的に接続されている。ここで、システムボード２０は電子部品が実装される第１基板の一例であり、バックプレーン３０はシステムボード同士を接続する第２基板の一例である。
【００２４】
システムボード２０には、例えばＣＰＵ（Central Processing Unit）、メモリ回路、ブリッジ回路、ハードディスク等を含む電子部品（不図示）が実装されている。システムボード２０の内部または表面には、複数の光導波路（以下、第１光導波路２２と称する）が形成されている。第１光導波路２２は、システムボード２０上に設けられた発光素子２４または受光素子２６のいずれかと光接続されている。
【００２５】
バックプレーン３０には、システムボード２０と同様に、内部または表面に複数の光導波路（以下、第２光導波路３２と称する）が形成されている。バックプレーン３０に形成された第２光導波路３２は、光コネクタ４０を介して、システムボード２０に形成された第１光導波路２２と光接続されている。
【００２６】
上記電子部品から出力された電気信号は、発光素子２４により光信号に変換され、第１光導波路２２及び第２光導波路３２を介して他のシステムボードへと伝送される。また、他のシステムボードより出力された光信号は、第１光導波路２２及び第２光導波路３２を介して受光素子２６に入射し、電気信号に変換された上で上記電子部品へと入力される。これにより、一のシステムボード（例えば、２０ｂ）上の電子素子は、他のシステムボード（例えば、２０ａ、２０ｃ）上の電子素子と信号の送受信を行うことができる。
【００２７】
図２（ａ）〜（ｃ）は、比較例に係る光コネクタ周辺の断面模式図であり、図中の矢印は光（信号）の導波方向を示す。本図では、光コネクタをレンズ１５０で置き換えて説明しているが、光学的な機能は同一である。なお、比較例に係る光コネクタでは、一般的な光コネクタに用いられる倒立光学系のレンズ１５０を用いている。図２（ａ）に示すように、バックプレーン３０の第２光導波路３２の端部には、ミラー３４が設けられており、第２光導波路３２の端面に到達した光は、ミラー３４に反射されることで、バックプレーン３０の表面に対し垂直方向（光軸Ｌ）を中心として拡散して射出される。
【００２８】
第２光導波路３２から射出された光のうちレンズ１５０に入射した光は、レンズ１５０によって所定の位置に集光する。図２（ａ）のように、第１光導波路２２、第２光導波路３２、及びレンズ１５０の位置関係が正しい場合には、レンズ１５０から射出された光は第１光導波路２２の端面に収束し、第１光導波路２２の内部へ導入される。これにより、第２光導波路３２と第１光導波路２２とは光学的に接続される。
【００２９】
ここで、図２（ｂ）及び図２（ｃ）に示すように、レンズ１５０の位置が光軸Ｌ（第１光導波路２２と第２光導波路３２の端部同士を結ぶ光軸）に対し垂直にずれた場合、レンズ１５０から射出される光の集光位置も同様にずれてしまう。比較例のように、レンズ１５０に倒立光学系のレンズを用いた場合には、レンズ位置のずれに比べ、集光位置のずれは大きくなる。その結果、光が第１光導波路２２に正しく導入されず、第１光導波路２２と第２光導波路３２とを光学的に接続できない場合がある。第１光導波路２２から射出した光を第２光導波路３２に導入する場合も、同様の現象が起こりうる。特に、比較例に係る光コネクタのように、互いに直交する基板上の光導波路同士を接続する場合には、光軸Ｌに垂直な方向にレンズの位置ずれが起こりやすい。
【００３０】
以上のようなずれを抑制するために、比較例に係る光コネクタでは、第１光導波路２２、第２光導波路３２、及びレンズ１５０の位置合わせに高い精度が要求される。これに対し、以下に説明する実施例では、上記の位置合わせをより容易に行うことのできる光コネクタについて説明する。
【実施例１】
【００３１】
図３（ａ）〜（ｃ）は、実施例１に係る光コネクタ周辺の断面模式図であり、それぞれ比較例の図２（ａ）〜（ｃ）に対応するものである。実施例１では、比較例における倒立光学系のレンズ１５０の代わりに、正立等倍光学系のレンズ５０を用いている。レンズ５０としては、例えば屈折率分布型のレンズを用いることができる。その他の構成については比較例と同様であり、詳細な説明を省略する。
【００３２】
正立等倍光学系は、物体側と同じ大きさ及び位置の像が、レンズの反対側に形成されるという特徴を有する。正立等倍光学系のレンズを複数並べた場合には、各レンズの形成する像は連続し、あたかも１つの大きなレンズであるかのような像が得られる。このため、図３（ｂ）〜（ｃ）のように、レンズ５０の位置が光軸Ｌに対し垂直にずれた場合でも、レンズ５０の集光位置は変化しない。従って、第１光導波路２２及び第２光導波路３２の位置関係が正しければ、第２光導波路３２から射出された光を第１光導波路２２に集光し、２つの光導波路同士を光学的に接続することができる。
【００３３】
図４は、実施例１に係る光コネクタ周辺の詳細な構成を示す斜視図であり、バックプレーン３０の裏側から光コネクタ等の構成部品を透過して見た図である。図示するように、システムボード２０には、複数の第１光導波路（本図では不図示）の集合体を含む第１光導波部２８が形成され、バックプレーン３０には、複数の第２光導波路（本図では不図示）の集合体を含む第２光導波部３８が形成されている。光コネクタ４０の構成部品のうち、第１保持部材６０が第１光導波部２８に取り付けられ、第２保持部材７０が第２光導波部３８に取り付けられている。なお、本実施例では、第１光導波部２８の端部はシステムボード２０の表面から垂直方向に湾曲し、当該湾曲した端部に第１保持部材６０が取り付けられた構成となっているが、第１保持部材６０の取り付け方法は当該形態に限定されるものではない。
【００３４】
第１保持部材６０は、複数の第１光導波路２２と位置合わせされており、第２保持部材７０は、複数の第２光導波路３２と位置合わせされている。第１保持部材６０は、その表面に設けられたガイドピン６２により、第２保持部材７０と係合する。このとき、図３で示したレンズ５０を含むレンズアレイが、第１保持部材６０と第２保持部材７０との間に挟まれて保持される。
【００３５】
図５は、実施例１に係る光コネクタの詳細な構成を示す斜視図である。また、図６（ａ）は図５の平面Ａに沿った断面図、図６（ｂ）は平面Ｂに沿った断面図である。図示するように、光コネクタ４０は、レンズ部の一例としてのレンズアレイ５２と、レンズ部を保持する保持部材の一例としての第１保持部材６０、第２保持部材７０、ばね部材８０、スペーサ８２、及び押え部材８４とを含む。
【００３６】
第２保持部材７０の中央部には、凹形状の格納部７２が形成されており、スペーサ８２及びレンズアレイ５２がこの順に格納部７２に格納される。スペーサ８２は、レンズアレイ５２の光軸方向の位置を調整するための部材であり、光を透過可能な材料が用いられる。第２保持部材７０における格納部７２の開口部の周辺には、複数のガイド孔７４及び複数の圧入孔７６が形成されている。ガイド孔７４同士及び圧入孔７６同士は、それぞれ対向する２つの辺上に形成されている。また、第２保持部材７０の中央には、開口部７９が形成されている。
【００３７】
レンズアレイ５２には、レンズが配置されたレンズ領域５４の外側の表面に、ばね部材８０を挿入するための受入孔５６が設けられている。押え部材８４には、レンズアレイ５２のレンズ領域５４に対応する位置に開口部８６が形成され、その周辺に複数の圧入ピン８８と、第１保持部材６０のガイドピン６２が貫通する貫通孔８９が設けられている。押え部材８４の圧入ピン８８は、第２保持部材７０の圧入孔７６に挿入される。これにより、レンズアレイ５２及びスペーサ８２が、押え部材８４により第２保持部材７０に固定される。このとき、ばね部材８０により、レンズアレイ５２は第２保持部材７０に付勢される。
【００３８】
第１保持部材６０には、レンズアレイ５２のレンズ領域５４に対応する位置に開口部６４が形成され、第２保持部材７０のガイド孔７４に対応する位置にガイドピン６２が形成されている。ガイドピン６２は、押え部材８４の貫通孔８９を貫通して、ガイド孔７４に挿入される。これにより、第１保持部材６０と第２保持部材７０とが互いに固定される。
【００３９】
また、第１保持部材６０及び第２保持部材７０の外周部には、光導波路と位置合わせを行うための位置合わせ孔（６８、７８）がそれぞれ設けられている。この点については図９にて詳細に説明する。
【００４０】
図７（ａ）〜（ｄ）は、レンズアレイ５２の詳細な構成を示す図であり、レンズアレイ５２を複数のレンズの光軸を含む平面で切断した断面図である。レンズアレイ５２の構成としては、図７（ａ）〜（ｄ）のいずれを用いてもよい。全ての形態に共通する性質として、レンズアレイ５２は光軸に対し交差する方向に配置された複数のレンズ５０と、各レンズ５０の間に設けられた迷光防止部材４２とを含む。迷光防止部材４２は、一のレンズに入射した光が他のレンズに入射（迷光）しないようにするための遮光部材であり、例えば黒色の遮光部材を用いることができる。迷光防止部材４２は、レンズアレイ５２における第１光導波路側の主面から第２光導波路側の主面にまで延在するように、光軸に対し平行に挿入されている。
【００４１】
図７（ａ）は、レンズ５０として単レンズを用い、且つその端面を迷光防止部材４２の端部の外側（または同じ位置）に形成したものである。この構成によれば、より多くの光を集めることができる。図７（ｂ）は、レンズ５０として単レンズを用い、且つその端面を迷光防止部材４２の内側に形成したものである。この構成によれば、迷光をより確実に抑制することができる。図７（ｃ）〜（ｄ）は、レンズ５０として光軸の一致する２つの組レンズを用いた例である。組レンズを用いる場合、図７（ｃ）のように、組レンズのそれぞれを迷光防止部材４２の端部の外側（または同じ位置）に配置してもよいし、図７（ｄ）のように、迷光防止部材４２の内側に配置してもよい。
【００４２】
図８は、光コネクタ４０を第１保持部材６０の側から透過して見た平面図である。図示するように、光コネクタ４０には、ガイド孔７４（ガイドピン６２）、圧入孔７６（圧入ピン８８）、及び位置合わせ孔（６８、７８）が形成されている。このうち、位置合わせ孔６８及び７８は貫通孔である。図４及び図８に示すように、第１光導波路２２と第１保持部材６０との位置合わせを行う場合には、第２保持部材７０の側から第１保持部材６０の位置合わせ孔６８を介して、第１光導波部２８に描かれた位置合わせ用のマークを確認する。第２光導波路３２と第２保持部材７０との位置合わせを行う場合には、第１保持部材６０の側から第２保持部材７０の位置合わせ孔７８を介して、第２光導波部３８に描かれた位置合わせ用のマークを確認する。
【００４３】
図９（ａ）及び（ｂ）は、位置合わせ孔（６８、７８）及びマークの例である。マーク４４の形状は、図９（ａ）のように十字型であってもよいし、図９（ｂ）のように円形であってもよい。また、これ以外の形状のマークを用いてもよい。図示するように、マーク４４が位置合わせ孔（６８、７８）の中心に位置するように位置合わせを行うことにより、光導波路と保持部材との位置合わせを容易に行うことができる。
【００４４】
実施例１に係る光コネクタによれば、異なる基板に形成された複数の光導波路同士を接続する光コネクタのレンズ部に、正立等倍光学系のレンズを用いている。これにより、レンズの位置が光軸に対し垂直方向に少々ずれた場合であっても、レンズの集光位置は変化しないため、光導波路同士の光学的接続に影響は生じない。このため、比較例に係る光コネクタに比べ、光導波路及びレンズの位置合わせを容易に行うことができる。
【００４５】
特に、実施例１のように、２つの交差する平面上に配置された基板の光導波路同士を接続する場合には、同一平面上に配置された基板の光導波路同士を接続する場合に比べ、上記のレンズ位置のずれが生じやすくなる。また、装置の小型化を図るために光導波路同士の間隔を狭くする場合には、レンズにはより高い精度の位置合わせが要求される。本実施例に係る光コネクタは、このような場合において特に好適である。
【実施例２】
【００４６】
実施例２は、レンズアレイにおける迷光防止の構成を変更した例である。光コネクタのうちレンズアレイ部分以外の構成については実施例１と同様であるため、詳細な説明を省略する。
【００４７】
図１０（ａ）は、実施例２に係る光コネクタのレンズアレイ部分の構成を示す断面図（実施例１の図７（ａ）〜（ｃ）に対応するもの）であり、図１０（ｂ）は図１０（ａ）に示すレンズアレイを分解した図である。図示するように、レンズアレイ５２は、光軸（図中点線）に対し交差する方向に配置された複数のレンズ５０の集合体を、光軸の方向に２つに分離した第１レンズ５０ａ及び第２レンズ５０ｂを含む。実施例１と異なり、各レンズ５０の間には迷光防止部材は設けられておらず、第１レンズ５０ａ及び第２レンズ５０ｂの間には、絞り部材４６が配置されている。実施例２に係るレンズアレイも、実施例１と同じく正立等倍光学系となっている。
【００４８】
絞り部材４６には、各レンズ５０の光軸を中心とする領域に絞り孔４８が形成されており、その他の領域は例えば黒色の遮光部材となっている。第１レンズ５０ａ及び第２レンズ５０ｂは、各レンズの端部から入射された光が、自らの光軸上に位置する絞り孔４８に集光するように調整されている。これにより、他のレンズから入射された光は絞り部材４６により遮られるため、隣り合うレンズ同士における光の干渉（迷光）を抑制することができる。
【００４９】
実施例２に係る光コネクタによれば、実施例１と同様に、レンズアレイにおける迷光を抑制することができる。また、正立等倍光学系のレンズアレイを用いることにより、光導波路及びレンズの位置合わせを容易に行うことができる。
【実施例３】
【００５０】
実施例３は、１つのレンズに複数の光導波路を対応させた例である。
【００５１】
図１１は実施例３に係る光コネクタ周辺の斜視図であり、図１２はその断面図（実施例１の図３に対応するもの）である。図１２に示すように、システムボード２０には、第１光導波路２２ａ及び２２ｂが上下の異なる層に形成されている。バックプレーン３０には、上方から延在する第２光導波路３２ａと、下方から延在する第２光導波路３２ｂとが形成されており、両者の間は分離されている。第２光導波路（３２ａ、３２ｂ）の端部には、それぞれミラー（３４ａ、３４ｂ）が設けられており、上側の第２光導波路３２ａから射出された光は上側の第１光導波路２２ａに、下側の第２光導波路３２ｂから射出された光は下側の第１光導波路２２ｂに、それぞれ入射する。
【００５２】
本実施例では、図１１に示すように、４本ずつの光導波路の組（図１１の第１光導波路２２ａ〜２２ｄ及び第２光導波路３２ａ〜３２ｄ）に対し、１つの正立等倍光学系のレンズ５０が対応するように構成されている。実施例１にて説明したように、正立等倍光学系では、物体側と同じ大きさ及び位置の像がレンズ５０の反対側に形成される。このため、第２光導波路３２ａ〜３２ｄから射出された光は、レンズ５０の反対側における元の位置（第１光導波路２２ａ〜２２ｄの端部）に集光する。例えば、図１２では、上側の第２光導波路３２ａから射出された光は上側の第１光導波路２２ａに、下側の第２光導波路３２ｂから射出された光は下側の第１光導波路２２ｂにそれぞれ導入されている。なお、図１１には示してはいないが、他の光導波路同士も上記と同様に、対応するレンズを介して接続されている。
【００５３】
実施例３に係る光コネクタによれば、集光位置が物体側と同じになるという正立等倍光学系の性質を利用して、レンズのサイズを大きくし、１つのレンズに対応する第１光導波路及び第２光導波路の数を、それぞれ２つ以上とすることができる。これにより、実施例１〜２に比べて部品点数の削減や、製造工程の簡易化を図ることができる。
【００５４】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００５５】
１０          キャビネット
２０          システムボード
２２          第１光導波路
２４          発光素子
２６          受光素子
２８          光導波部
３０          バックプレーン
３２          第２光導波路
３４          ミラー
３８          第２光導波部
４０          光コネクタ
４２          迷光防止部材
４４          マーク
４６          絞り部材
４８          絞り孔
５０          レンズ
５０ａ        第１レンズ
５０ｂ        第２レンズ
５２          レンズアレイ
６０          第１保持部材
６２          ガイドピン
６８          位置合わせ孔
７０          第２保持部材
７２          格納部
７４          ガイド孔
７６          圧入孔
７８          位置合わせ孔
８０          ばね部材
８２          スペーサ
８４          押え部材
８８          圧入ピン
１００        信号処理装置
【図１】
0005869287.tif 000002
【図２】
0005869287.tif 000003
【図３】
0005869287.tif 000004
【図４】
0005869287.tif 000005
【図５】
0005869287.tif 000006
【図６】
0005869287.tif 000007
【図７】
0005869287.tif 000008
【図８】
0005869287.tif 000009
【図９】
0005869287.tif 000010
【図１０】
0005869287.tif 000011
【図１１】
0005869287.tif 000012
【図１２】
0005869287.tif 000013